(57)【要約】【課題】ＬＥＤ毎の特性ばらつきや劣化による発光効率の違いを考慮した低消費電力の照明装置およびこの照明装置を備えた画像投影装置を提供する。【解決手段】本発明に係る照明装置は、照明光の色毎に複数の発光ダイオード１０１、１０２、１０３、２０１，２０２、２０３、３０１、３０２、３０３を有する光源手段と、光源手段の各発光ダイオードに供給される電流の電流値を制御する光量制御手段と、光源手段の各発光ダイオードに所定値の電流が供給されたときの各発光ダイオードの発光量を記憶する発光量記憶手段と、各発光ダイオードに供給される電流の電流値に対する各発光ダイオードの発光量の変化率である効率感度を算出する効率感度算出手段とを備え、光量制御手段が効率感度に基づいて各発光ダイオードに供給される電流の電流値を制御することを特徴とするものである。【選択図】図１
2008185924.tif 000002
【特許請求の範囲】
【請求項１】
複数の異なる色の照明光を出射し、前記照明光の色毎に複数の発光ダイオードを有する光源手段と、
前記光源手段の各発光ダイオードに供給される電流の電流値を制御して、前記光源手段から出射される照明光の光量を色毎に増減させる光量制御手段と、
前記光源手段の各発光ダイオードに所定値の電流が供給されたときの前記各発光ダイオードの発光量を記憶する発光量記憶手段と、
前記発光量記憶手段に記憶された前記各発光ダイオードの発光量に基づいて、前記各発光ダイオードに供給される電流の電流値に対する前記各発光ダイオードの発光量の変化率である効率感度を算出する効率感度算出手段と、
を備え、
前記光量制御手段は、前記効率感度に基づいて前記各発光ダイオードに供給される電流の電流値を制御することを特徴とする照明装置。
【請求項２】
前記発光量記憶手段は、前記光源手段の各発光ダイオードについて、前記各発光ダイオードに供給される電流の電流値を変化させたときの前記各発光ダイオードの発光量を、前記各発光ダイオードに供給される電流の電流値毎に記憶することを特徴とする請求項１に記載の照明装置。
【請求項３】
前記光源手段の温度を検出する温度センサを備え、
前記発光量記憶手段は、前記光源手段の各発光ダイオードについて、前記光源手段の温度が変化したときの前記各発光ダイオードの発光量をその温度毎に記憶し、前記効率感度算出手段は、前記温度センサが検出した検出温度を用いて前記効率感度を算出することを特徴とする請求項２に記載の照明装置。
【請求項４】
前記効率感度算出手段は、前記光源手段の各発光ダイオードに所定の直流電流とこの直流電流に重畳する所定の交流電流が供給されたときの前記所定の交流電流の振幅と前記各発光ダイオードの発光量の振幅の比として、前記所定の直流電流の電流値における前記効率感度を算出することを特徴とする請求項１に記載の照明装置。
【請求項５】
複数の異なる色の照明光を出射し、前記照明光の色毎に複数の発光ダイオードを有する光源手段と、
前記光源手段の各発光ダイオードに供給される電流の電流値を制御して、前記光源手段から出射される照明光の光量を色毎に増減させる光量制御手段と、
前記各発光ダイオードに供給される電流の電流値に対する前記各発光ダイオードの発光量の変化率である効率感度を記憶する効率感度記憶手段と、
を備え、
前記光量制御手段は、前記効率感度に基づいて前記各発光ダイオードに供給される電流の電流値を制御することを特徴とする照明装置。
【請求項６】
前記光量制御手段は、前記光源手段から出射されるある色の照明光の光量を減少させるときに、その色の発光ダイオードの中で前記効率感度が最も低いものに供給される電流の電流値を減少させ、前記光源手段から出射されるある色の照明光の光量を増加させるときに、その色の発光ダイオードの中で前記効率感度が最も高いものに供給される電流の電流値を増加させることを特徴とする請求項１から５のいずれか一つに記載の照明装置。
【請求項７】
前記光量制御手段は、前記光源手段から出射されるある色の照明光の光量を減少させるときに、その色の発光ダイオードの中で前記効率感度が他の発光ダイオードよりも低く且つ前記効率感度が等しいものが複数あるときは、それらの発光ダイオードに供給される電流の電流値をそれらの前記効率感度が等しい状態を保ちながら減少させ、前記光源手段から出射されるある色の照明光の光量を増加させるときに、その色の発光ダイオードの中で前記効率感度が他の発光ダイオードよりも高く且つ前記効率感度が等しいものが複数あるときは、それらの発光ダイオードに供給される電流の電流値をそれらの前記効率感度が等しい状態を保ちながら増加させることを特徴とする請求項６に記載の照明装置。
【請求項８】
請求項１から７のいずれか一つに記載の照明装置と、
前記照明装置から出射する照明光を入力画像信号に基づいて空間変調する空間変調手段と、
前記空間変調手段で空間変調された照明光を投影する投影光学手段と、
を備えたことを特徴とする画像投影装置。
【発明の詳細な説明】
【技術分野】
【０００１】
本発明は、照明装置および画像投影装置に関し、特に複数の発光ダイオードを用いた照明装置およびこの照明装置を備えた画像投影装置に関する。
【背景技術】
【０００２】
近年、発光ダイオード（ＬＥＤ）の高出力化、高効率化により、光源として赤（Ｒ）、緑（Ｇ）、青（Ｂ）の光を発光するＬＥＤを用いたプロジェクタが開発されている。このような複数のＬＥＤを使用した光源を直流駆動する場合、ＬＥＤに流す電流レベルを増減させることにより光量を変化させているが、周囲温度やＬＥＤ自身の発熱量が変わると電流レベルを一定にするフィードバック制御を行ってもＬＥＤ毎の発光量にばらつきが生じる。また同じ色のＬＥＤに同じ電流を流した場合であっても、特性ばらつきや長時間の使用による劣化によってＬＥＤ毎の発光量が異なってくる。その結果、プロジェクタから投影される画像のホワイトバランスが崩れたり、ＲＧＢの混色において色ずれが起こるという問題点があった。
【０００３】
このため従来の投写型表示装置（プロジェクタ）では、基準白色信号を投影してその色度を検出し、ホワイトバランスが崩れている場合には点灯する各色毎にＬＥＤ素子の個数を制御すること等によりホワイトバランスを制御するようにしていた（例えば、特許文献１参照）。
【特許文献１】特開２００５−１２１６８８号公報（第１頁、図１）
【発明の開示】
【発明が解決しようとする課題】
【０００４】
しかし従来の投写型表示装置では（例えば、特許文献１参照）、点灯するＬＥＤ素子の個数を制御することで光使用効率の高いホワイトバランス制御を実現しているものの、ＬＥＤ毎の特性ばらつきや劣化による発光効率の違いを考慮しておらず、必ずしも十分な電力低減効果を得ることができないという問題点があった。
【０００５】
本発明は、上記のような問題点を鑑みてなされたものであり、ＬＥＤ毎の特性ばらつきや劣化による発光効率の違いを考慮した低消費電力の照明装置およびこの照明装置を備えた画像投影装置を提供することを目的とする。
【課題を解決するための手段】
【０００６】
本発明に係る照明装置は、複数の異なる色の照明光を出射し、照明光の色毎に複数の発光ダイオードを有する光源手段と、光源手段の各発光ダイオードに供給される電流の電流値を制御して、光源手段から出射される照明光の光量を色毎に増減させる光量制御手段と、光源手段の各発光ダイオードに所定値の電流が供給されたときの各発光ダイオードの発光量を記憶する発光量記憶手段と、発光量記憶手段に記憶された各発光ダイオードの発光量に基づいて、各発光ダイオードに供給される電流の電流値に対する各発光ダイオードの発光量の変化率である効率感度を算出する効率感度算出手段とを備え、光量制御手段が、効率感度に基づいて各発光ダイオードに供給される電流の電流値を制御することを特徴とするものである。
【０００７】
また本発明に係る照明装置は、上記の発光量記憶手段が、光源手段の各発光ダイオードについて、各発光ダイオードに供給される電流の電流値を変化させたときの各発光ダイオードの発光量を、各発光ダイオードに供給される電流の電流値毎に記憶することを特徴とするものである。
【０００８】
また本発明に係る照明装置は、光源手段の温度を検出する温度センサを備え、上記の発光量記憶手段が、光源手段の各発光ダイオードについて、光源手段の温度が変化したときの各発光ダイオードの発光量をその温度毎に記憶し、効率感度算出手段は、温度センサが検出した検出温度を用いて効率感度を算出することを特徴とするものである。
【０００９】
また本発明に係る照明装置は、上記の効率感度算出手段が、光源手段の各発光ダイオードに所定の直流電流とこの直流電流に重畳する所定の交流電流が供給されたときの所定の交流電流の振幅と各発光ダイオードの発光量の振幅の比として、所定の直流電流の電流値における効率感度を算出することを特徴とするものである。
【００１０】
また本発明に係る照明装置は、複数の異なる色の照明光を出射し、照明光の色毎に複数の発光ダイオードを有する光源手段と、光源手段の各発光ダイオードに供給される電流の電流値を制御して、光源手段から出射される照明光の光量を色毎に増減させる光量制御手段と、各発光ダイオードに供給される電流の電流値に対する各発光ダイオードの発光量の変化率である効率感度を記憶する効率感度記憶手段とを備え、光量制御手段が、効率感度に基づいて各発光ダイオードに供給される電流の電流値を制御することを特徴とするものである。
【００１１】
また本発明に係る照明装置は、上記の光量制御手段が、光源手段から出射されるある色の照明光の光量を減少させるときに、その色の発光ダイオードの中で効率感度が最も低いものに供給される電流の電流値を減少させ、光源手段から出射されるある色の照明光の光量を増加させるときに、その色の発光ダイオードの中で効率感度が最も高いものに供給される電流の電流値を増加させることを特徴とするものである。
【００１２】
また本発明に係る照明装置は、上記の光量制御手段が、光源手段から出射されるある色の照明光の光量を減少させるときに、その色の発光ダイオードの中で効率感度が他の発光ダイオードよりも低く且つ効率感度が等しいものが複数あるときは、それらの発光ダイオードに供給される電流の電流値をそれらの効率感度が等しい状態を保ちながら減少させ、光源手段から出射されるある色の照明光の光量を増加させるときに、その色の発光ダイオードの中で効率感度が他の発光ダイオードよりも高く且つ効率感度が等しいものが複数あるときは、それらの発光ダイオードに供給される電流の電流値をそれらの効率感度が等しい状態を保ちながら増加させることを特徴とするものである。
【００１３】
本発明に係る画像投影装置は、上記のいずれか一つの照明装置と、照明装置から出射する照明光を入力画像信号に基づいて空間変調する空間変調手段と、空間変調手段で空間変調された照明光を投影する投影光学手段とを備えたことを特徴とするものである。
【発明の効果】
【００１４】
本発明に係る照明装置は、光源手段の各発光ダイオードに所定値の電流が供給されたときの各発光ダイオードの発光量を記憶する発光量記憶手段と、発光量記憶手段に記憶された各発光ダイオードの発光量に基づいて、各発光ダイオードに供給される電流の電流値に対する各発光ダイオードの発光量の変化率である効率感度を算出する効率感度算出手段とを備え、光量制御手段が、効率感度に基づいて各発光ダイオードに供給される電流の電流値を制御するため、効率感度が高い発光ダイオードの発光量を優先して増加させ、効率感度が低い発光ダイオードの発光量を優先して低下させることで、照明装置全体としての消費電力（電流）を低減することが可能となる。
【発明を実施するための最良の形態】
【００１５】
以下、図面を参照しながら本発明の実施形態に係る照明装置および画像投影装置について説明する。
【００１６】
図１は、本発明の実施形態に係る照明装置を備えた画像投影装置の全体構成を示すブロック図である。なお図１には、画像投影装置の例として３板液晶パネル方式のプロジェクタを示しているが、本発明に係る照明装置をその他の方式の画像投影装置（プロジェクタ）に用いてもよい。
【００１７】
図１に示す画像投影装置は画像信号処理部１０を有し、この画像信号処理部１０にパソコン等のアナログＲＧＢ信号やテレビジョン（ＮＴＳＣ）等の画像信号が入力される。画像信号処理部１０は、その入力画像信号の信号形態によって入力画像信号に対して同期分離、Ｙ／Ｃ分離、ＩＰ変換、スケーリング（解像度変換）、色（カラーマトリクス）変換、台形（キーストーン）補正等の処理を行い、デジタル画像データを生成する。このデジタル画像データは、ＲＧＢの色毎に設けられた表示パネル１２ｒ、１２ｇ、１２ｂのパネルドライバ１４ｒ、１４ｇ、１４ｂに送られ、パネルドライバ１４ｒ、１４ｇ、１４ｂは表示パネル１２ｒ、１２ｇ、１２ｂをデジタル画像データに基づいて駆動する。これによりＲＧＢ毎の画像が表示パネル１２ｒ、１２ｇ、１２ｂに形成される。なお本実施形態では、３枚の表示パネル１２ｒ、１２ｇ、１２ｂがそれぞれ液晶パネルから構成されているものとする。
【００１８】
また本実施形態に係る画像投影装置は、赤（Ｒ）、緑（Ｇ）、青（Ｂ）の照明光を出射する光源１６を有する。光源１６は、ＲＧＢの色毎に複数の発光ダイオード（以下、ＬＥＤという）を備えており、Ｒの光を発光するＬＥＤ１０１、１０２、１０３がＲ−ＬＥＤ光源を、Ｇの光を発光するＬＥＤ２０１、２０２、２０３がＧ−ＬＥＤ光源を、Ｂの光を発光するＬＥＤ３０１、３０２、３０３がＢ−ＬＥＤ光源を構成している。Ｒ−ＬＥＤ光源を構成するＬＥＤ１０１、１０２、１０３は、カソード側がそれぞれＦＥＴ１１１、１１２、１１３に接続されており、アノード側がＲ−ＬＥＤ光源用のＲ電源に接続されている。Ｇ−ＬＥＤ光源を構成するＬＥＤ２０１、２０２、２０３、Ｂ−ＬＥＤ光源を構成する３０１、３０２、３０３も同様に、カソード側がそれぞれＦＥＴに接続されており、アノード側が電源に接続されている。ここでは、ＲＧＢのＬＥＤとそれに接続されたＦＥＴ及び電源を含めて光源１６と呼ぶこととする。なお本実施形態では、光源１６がＲＧＢの色毎に３つのＬＥＤを備えているが、例えばＲＧＢの色毎に２つまたは４つ以上のＬＥＤを用いるようにしてもよく、ＲＧＢの色毎にＬＥＤの個数が異なっていてもよい。
【００１９】
光源１６の各ＬＥＤに接続されたＦＥＴのゲートは、ＬＥＤ発光タイミング制御部１８に接続されており、このＬＥＤ発光タイミング制御部１８はＣＰＵ２０に接続されている。ＣＰＵ２０は、光源１６の各ＬＥＤの発光タイミングを制御するタイミング信号を生成し、このタイミング信号を各ＬＥＤへ送る。また光源１６の各ＬＥＤは、ＦＥＴを介して電流制御回路部２２に接続されており、この電流制御回路部２２はＤＡコンバータ２４を介してＬＥＤ発光電流制御部２６に接続されている。ＬＥＤ発光電流制御部２６は、ＣＰＵ２０と接続されており、ＬＥＤ発光電流制御部２６はＣＰＵ２０からの指令により各ＬＥＤに供給される電流の電流値を制御して各ＬＥＤの発光量を制御する。なお図１では、Ｒ−ＬＥＤ光源用の電流制御回路部２２のみを示しているが、Ｇ−ＬＥＤ光源、Ｂ−ＬＥＤ光源も同様に電流制御回路部に接続されているものとする。
【００２０】
Ｒ−ＬＥＤ光源、Ｇ−ＬＥＤ光源、Ｂ−ＬＥＤ光源からの光は、例えばインテグレータロッドから構成される照明光学系２８ｒ、２８ｇ、２８ｂで色毎に合成、整形されて表示パネル１２ｒ、１２ｇ、１２ｂに導光される。照明光学系２８ｒ、２８ｇ、２８ｂからの光は表示パネル１２ｒ、１２ｇ、１２ｂにより空間変調され、これにより生成された画像が投影光学系３０に導かれる。投影光学系３０は、表示パネル１２ｒ、１２ｇ、１２ｂで生成された各色の画像をＲＧＢ混色の画像に合成し、この画像を画像投影装置外部のスクリーン（図示せず）等に投影する。
【００２１】
またＣＰＵ２０は、メモリ３２、ユーザインターフェース３４と接続されており、メモリ３２は以下に示す電流値−発光量テーブル等を記憶し、ユーザインターフェース３４は、ユーザからの光量設定指示等を受けて設定信号をＣＰＵ２０に送る。また本実施形態では、画像信号処理部１０とＣＰＵ２０に特徴量抽出部３６が接続されている。特徴量抽出部３６は、画像信号処理部１０から入力画像信号を受け取り、その画像について輝度の最大値および最小値、平均輝度レベル（ＡＰＬ）等を判断し、その値をＣＰＵ２０に送る。なお、特徴量抽出部３６は必ずしも設けなくてもよいが、例えば光源１６の光量を、ユーザが設定する代わりに特徴量抽出部３６が判断した平均輝度レベル等に応じてＣＰＵ２０が自動で設定するようにしてもよい。
【００２２】
さらに本実施形態に係る画像投影装置は、光源１６の温度をＲ−ＬＥＤ光源、Ｇ−ＬＥＤ光源、Ｂ−ＬＥＤ光源ごとに検出する温度センサ３８ｒ、３８ｇ、３８ｂと、Ｒ−ＬＥＤ光源、Ｇ−ＬＥＤ光源、Ｂ−ＬＥＤ光源から出射され、照明光学系２８ｒ、２８ｇ、２８ｂを通過した照明光の光量を色毎に検出する光量センサ４０ｒ、４０ｇ、４０ｂを備えている。温度センサ３８ｒ、３８ｇ、３８ｂは、例えばＲ−ＬＥＤ光源、Ｇ−ＬＥＤ光源、Ｂ−ＬＥＤ光源の近傍や、画像投影装置が空冷式のものであれば放熱板、水冷式のものであれば水冷ジャケットに取り付けることができる。なお温度センサを、光源１６に１つだけ取り付けるようにしてもよい。また光量センサ４０ｒ、４０ｇ、４０ｂは、例えば照明光学系２８ｒ、２８ｇ、２８ｂの出射端に取り付けることができ、光量データを取得するときに照明光学系２８ｒ、２８ｇ、２８ｂの出射端中央に移動するように構成することができる。温度センサ３８ｒ、３８ｇ、３８ｂは検出した温度データをＣＰＵ２０へ送り、光量センサ４０ｒ、４０ｇ、４０ｂは検出した光量データをＣＰＵ２０へ送る。
【００２３】
なお本実施形態に係る画像投影装置において、光源１６、ＬＥＤ発光タイミング制御部１８、ＣＰＵ２０、電流制御回路部２２、ＤＡコンバータ２４、ＬＥＤ発光電流制御部２６、メモリ３２、温度センサ３８ｒ、３８ｇ、３８ｂ、光量センサ４０ｒ、４０ｇ、４０ｂ等が画像を投影するための照明装置として機能する。
【００２４】
本実施形態では、まずキャリブレーションにより光源１６の各ＬＥＤについて電流値−発光量テーブルを作成し、メモリ３２に記憶させる。この電流値−発光量テーブルは、光源１６の各ＬＥＤに供給される電流の電流値を変化させたときの各ＬＥＤの発光量を、各ＬＥＤに供給される電流の電流値毎に記録したデータテーブルであり、例えば光源１６の各発光ダイオードに一定のステップ幅で電流を加えてそのときの発光量を光量センサ４０ｒ、４０ｇ、４０ｂで検出することにより得ることができる。後に示すように、ＣＰＵ２０はこの電流値−発光量テーブルから各ＬＥＤに供給される電流の電流値に対する各ＬＥＤの発光量の変化率である効率感度を算出し、光源１６から出射される照明光の光量を色毎に増減させる際、この効率感度に基づいて光源１６のトータルの駆動消費電力、即ちトータルの電流が最も少なくなるように各ＬＥＤに供給される電流の電流値を制御する。
【００２５】
図２は、電流値−発光量テーブルを取得するためのキャリブレーションの手順を示したフローチャートである。なお、図２の手順で得られた電流値−発光量テーブルの例は図４に示されている。
【００２６】
まず、ユーザがユーザインターフェース３４からキャリブレーション開始指令を入力すると、光源１６の各ＬＥＤについての電流値−発光量テーブルの作成を開始する信号がＣＰＵ２０へ送られる（Ｓ１０１）。
【００２７】
電流値−発光量テーブルの作成を開始する信号を受けたＣＰＵ２０は、画像信号処理部１０に対し電流値−発光量テーブの作成中にノイズのある画像等が表示されないように画像信号をマスク処理する（Ｓ１０２）。これは、発光量データの取得中に不適切な色の画像や光量変化による違和感のある画像が表示されないようにするためのものであり、例えばロゴやブルーバックといった特定の画像を出力するようなデジタル画像信号データをパネルドライバ１４ｒ、１４ｇ、１４ｂへ送る。
【００２８】
そしてＬＥＤ発光タイミング制御部１８は、ＣＰＵ２０からの指示により光源１６の各ＬＥＤの発光量を取得するためのタイミング信号をＬＥＤ毎に生成する（Ｓ１０３）。図３は、ＬＥＤ発光タイミング制御部１８が生成するタイミング信号の例を示した図である。なお図３では、光源１６がＲＧＢの色毎に８個のＬＥＤ（Ｒ１、Ｒ２…、Ｒ８、Ｇ１、Ｇ２…、Ｇ８、Ｂ１、Ｂ２…、Ｂ８）を有する場合を示している。図３に示すようにＬＥＤ発光タイミング制御部１８は各ＬＥＤの電流値毎の発光量を検出するために、タイミング信号として各色についてＬＥＤ毎にタイミングをずらしたゲートパルス信号を生成する。図３の例では、ＲのＬＥＤについてＲ１、Ｒ２…Ｒ８の順にゲートパルス信号が生成され、Ｇ、Ｂについても同様のゲートパルス信号が生成される。ＬＥＤ発光タイミング制御部１８で生成されたタイミング信号は、ＦＥＴ１１１、１１２、１１３等を経てＬＥＤ１０１、１０２、１０３等の各ＬＥＤに送られる。
【００２９】
またＬＥＤ発光電流制御部２６は、ＣＰＵ２０からの指示により各ＬＥＤに供給する電流の電流値を例えば所定のステップ毎に変更する（Ｓ１０４）。このときＬＥＤ発光電流制御部２６は、各ＬＥＤについて異なる電流値における発光量を取得するため、例えば使用条件範囲内で各ＬＥＤに供給される電流値を所定のステップ毎に増加させるようなデータを出力する。ＬＥＤ発光電流制御部２６から出力されたデータは、ＤＡコンバータ２４によりアナログ信号に変換され、電流制御回路部２２、ＦＥＴ１１１、１１２、１１３等に入力される。ＦＥＴ１１１、１１２、１１３等は、入力されたアナログ信号に対応した電流値の電流をＬＥＤ１０１、１０２、１０３等の各ＬＥＤに供給する。即ち、ＬＥＤ発光タイミング制御部１８が生成するタイミング信号により発光するＬＥＤが選択され、ＬＥＤ発光電流制御部２６から出力されるデータによって各ＬＥＤに供給される電流の電流値が制御されることとなる。
【００３０】
それから、上記のようなタイミングおよび設定電流値で発光する各ＬＥＤの発光量をその電流値ごとに光量センサ４０ｒ、４０ｇ、４０ｂで検出する（Ｓ１０５）。検出された各ＬＥＤの発光量は、ＣＰＵ２０へ送られる。
【００３１】
また各ＬＥＤの発光量を検出すると同時に、温度センサ３８ｒ、３８ｇ、３８ｂによってＲ−ＬＥＤ光源、Ｇ−ＬＥＤ光源、Ｂ−ＬＥＤ光源の温度も検出する（Ｓ１０６）。なお、複数の温度状態において各ＬＥＤの発光量をその電流値ごとに検出して、各ＬＥＤについて温度毎の電流値−発光量テーブルを作成するようにしてもよい。例えば、上記のような各ＬＥＤの発光量の検出を複数回行い、異なる温度における各ＬＥＤの電流値−発光量テーブルをメモリに記憶させておくことができる。検出されたＲ−ＬＥＤ光源、Ｇ−ＬＥＤ光源、Ｂ−ＬＥＤ光源の温度データは、ＣＰＵ２０へ送られる。
【００３２】
そして、上記のようにＣＰＵ２０に送られた各ＬＥＤの発光量およびＲ−ＬＥＤ光源、Ｇ−ＬＥＤ光源、Ｂ−ＬＥＤ光源の温度は、図４に示すように各ＬＥＤについて電流値−発光量テーブルの形でメモリ３２に保存される（Ｓ１０７）。このとき異なる温度における発光量のデータは、別の電流値―発光量テーブルとして保存することができる。
【００３３】
最後に、Ｓ１０２で行ったマスク処理を解除してキャリブレーションが終了する（Ｓ１０８）。
【００３４】
なおこのキャリブレーションは、工場での出荷調整工程時、ユーザが初めて画像投影装置を起動するとき、ある所定の使用時間の経過後等に行うようにすればよい。特にユーザが所定の使用時間ごとにキャリブレーションを行って、メモリ３２の電流値−発光量テーブルを更新または追加することにより、後に示す光量制御の精度をより一層向上させることができる。
【００３５】
図４は、キャリブレーションで得られた電流値−発光量テーブルをグラフ化した例を示す図である。図４に示す電流値−発光量テーブルは、図２に示すキャリブレーションで得られたものである。なお図４に示す例では、光源１６のＲ−ＬＥＤ光源がＲ１、Ｒ２、Ｒ３の３つのＬＥＤを備えているものとし、この３つのＬＥＤについての電流値−発光量テーブルを示すものとする。また図４では、Ｒ１についての電流値−発光量テーブル（特性カーブ）をＬｒ１、Ｒ２についての電流値−発光量テーブルをＬｒ２、Ｒ３についての電流値−発光量テーブルをＬｒ３として示している。
【００３６】
Ｒ１、Ｒ２、Ｒ３に電流値Ｉａの電流が供給されているときの発光量をそれぞれＬａ１、Ｌａ２、Ｌａ３とし、電流値Ｉａに所定の電流値を加えた電流値Ｉｂの電流が供給されているときの発光量をそれぞれＬｂ１、Ｌｂ２、Ｌｂ３とする。ここで電流値がＩａからＩｂの間におけるＲ１、Ｒ２、Ｒ３の電流値−発光量テーブル（特性カーブ）の傾きをそれぞれｋ１、ｋ２、ｋ３とすると、
ｋ１＝（Ｌｂ１−Ｌａ１）／（Ｉｂ−Ｉａ）
ｋ２＝（Ｌｂ２−Ｌａ２）／（Ｉｂ−Ｉａ）
ｋ３＝（Ｌｂ３−Ｌａ３）／（Ｉｂ−Ｉａ）
となる。本実施形態ではこの傾きｋ１、ｋ２、ｋ３を、各ＬＥＤの効率感度と呼ぶものとする。この効率感度は、各ＬＥＤに供給される電流の電流値に対する各ＬＥＤの発光量の変化率と定義することもできる。図４に示す例では、電流値がＩａからＩｂの間における効率感度ｋ１、ｋ２、ｋ３の大小関係がｋ１＞ｋ２＞ｋ３となっている。
【００３７】
本実施形態では、ＣＰＵ２０がメモリ３２に記憶された各ＬＥＤの電流値−発光量テーブルを読み出し、各電流値における効率感度をＬＥＤ毎に算出する。なお図４の例では、Ｒ−ＬＥＤ光源のＬＥＤのみを例に挙げているが、ＣＰＵ２０はＧ−ＬＥＤ光源、Ｂ−ＬＥＤ光源の各ＬＥＤについても同様に効率感度を算出するものとする。また本実施形態では、メモリ３２に各ＬＥＤの電流値−発光量テーブルのみを記憶するようにしているが、電流値−発光量テーブルと各電流値における効率感度の両方を記憶するようにしてもよい。
【００３８】
さらに図４の例では、電流値をＩａからＩｂに増加させて各ＬＥＤの効率感度を求めているが、例えば電流値を減少させたときの傾きとして効率感度を求めてもよく、ある電流値から同じステップ幅だけ前後のデータ間における傾きとして効率感度を求めてもよい。
【００３９】
図５は、各ＬＥＤの効率感度を求める他の方法を示したグラフである。なお図５に示す例では図４の例と同様に、光源１６のＲ−ＬＥＤ光源がＲ１、Ｒ２、Ｒ３の３つのＬＥＤを備えているものとし、図５（ａ）にＲ１の電流値対発光量を、図５（ｂ）にＲ２の電流値対発光量を、図５（ｃ）にＲ３の電流値対発光量を示す。また図５（ａ）、図５（ｂ）および図５（ｃ）では、Ｒ１についての特性カーブ（電流値−発光量テーブルと同じ）をＬｒ１、Ｒ２についての特性カーブをＬｒ２、Ｒ３についての特性カーブをＬｒ３で示している。
【００４０】
図５の例では、Ｒ１、Ｒ２、Ｒ３に電流値Ｉｃの直流電流と、この直流電流に重畳する振幅がＩｄの交流電流を供給する。このときのＲ１、Ｒ２、Ｒ３の発光量の振幅をそれぞれＬｄ１、Ｌｄ２、Ｌｄ３とすると、電流値ＩｃにおけるＲ１、Ｒ２、Ｒ３の効率感度ｋ１、ｋ２、ｋ３は、交流電流の振幅Ｉｄと各ＬＥＤの発光量の振幅の比として求められる。即ち、
ｋ１＝Ｌｄ１／Ｉｄ
ｋ２＝Ｌｄ２／Ｉｄ
ｋ３＝Ｌｄ３／Ｉｄ
となり、図４の例と同様に特性カーブ（電流値−発光量テーブル）に沿った傾きが求められる。なお図５に示す方法を用いて各ＬＥＤの効率感度を求める場合には、図２に示すような電流値−発光量テーブルを作成するためのキャリブレーションを行う必要はなく、求められた各ＬＥＤの効率感度をメモリ３２に保存するようにしてもよい。
【００４１】
このように、各ＬＥＤに所定の直流電流とこの直流電流に重畳する所定の交流電流を供給してそのときの発光量を検出し、交流電流の振幅と各ＬＥＤの発光量の振幅の比として、その直流電流の電流値における効率感度を算出することができる。
【００４２】
図６は、電流値−発光量テーブルとそれに対応する効率感度の例を示したグラフである。なお図６の例では、光源１６のＲ−ＬＥＤ光源がＲ１、Ｒ２、Ｒ３の３つのＬＥＤを備えているものとする。また、Ｒ１についての電流値−発光量テーブルをＬｒ１、Ｒ２についての電流値−発光量テーブルをＬｒ２、Ｒ３についての電流値−発光量テーブルをＬｒ３で示し、Ｒ−ＬＥＤ光源から出射される光量をＬｒ（＝Ｌｒ１＋Ｌｒ２＋Ｌｒ３）で示している。但し光量Ｌｒについては、Ｒ１、Ｒ２、Ｒ３に供給される電流値が同じであるとする。さらに図６（ｂ）は、図６（ａ）の電流値−発光量テーブルから算出された効率感度を示すグラフであり、Ｒ１、Ｒ２、Ｒ３の効率感度をそれぞれｋ１、ｋ２、ｋ３で示している。なお図６の例において、Ｒ１、Ｒ２、Ｒ３に供給できる電流の最大電流値をＩｍとし、電流値がＩｍのときのＲ１、Ｒ２、Ｒ３の効率感度をそれぞれＫ１、Ｋ２、Ｋ３とし、電流値が０のときのＲ１、Ｒ２、Ｒ３の効率感度をそれぞれＫ１´、Ｋ２´、Ｋ３´する。また図６の例では、便宜上Ｋ３＜Ｋ２＜Ｋ１＜Ｋ３´＜Ｋ２´＜Ｋ１´とする。
【００４３】
図７は、本実施形態に係る照明装置の光量制御方法を説明するためのグラフである。なお図７（ａ）から図７（ｆ）は、図６（ｂ）と同じ効率感度のグラフであり、図６のときと同一のＲ−ＬＥＤ光源について示しているものとする。
【００４４】
従来の画像投影装置に用いられる照明装置では、例えばＲ−ＬＥＤ光源の光量を１００％（すべてのＬＥＤが最大電流値で発光している状態）から５０％まで減少させる場合に、各ＬＥＤに供給される電流の電流値が等しい状態で一律にその電流値を減少させ、Ｒ−ＬＥＤ光源から出射される光量を減少させるようにしていた。
【００４５】
これに対して本実施形態では、例えばＲ−ＬＥＤ光源から出射される光量を増減させるときに、図４や図５で算出された各ＬＥＤの効率感度に基づいて各ＬＥＤに供給される電流値を制御し、各ＬＥＤの発光量を増減させる。具体的には、例えばＲ−ＬＥＤ光源から出射される光量を減少させる場合、効率感度の低いＬＥＤから順番に供給される電流の電流値を減少させていく。なお本実施形態では、各色のＬＥＤ光源から出射される光量を増減させるときに、まずＣＰＵ２０が光量センサ４０ｒ、４０ｇ、４０ｂの光量データに基づき現状の各ＬＥＤの発光量を把握し、そこから各ＬＥＤの発光量を増減させて目標の光量とする。
【００４６】
以下、本実施形態においてＲ−ＬＥＤ光源から出射される光量を減少させる場合の制御シーケンスを図７（ａ）から図７（ｃ）を用いて説明する。なお、図７（ａ）には初期状態を示しており、この初期状態ではＲ−ＬＥＤ光源の光量が１００％（Ｒ１、Ｒ２、Ｒ３がすべて最大電流値Ｉｍで発光している状態）であるものとする。
【００４７】
まず図７（ａ）の丸で示すように、Ｒ１、Ｒ２、Ｒ３が最大電流値Ｉｍで発光している状態から、この時点で最も効率感度の低いＲ３の電流値を下げて、Ｒ３の効率感度ｋ３がＫ２になるまでＲ３の発光量を減少させる（図７（ａ）のａ）。
【００４８】
そしてＲ３、Ｒ２の効率感度ｋ３、ｋ２がＫ２で等しくなったら、図７（ｂ）の丸および三角で示すように、Ｒ３、Ｒ２の効率感度ｋ３、ｋ２が等しい状態を保ちながらＲ３とＲ２の電流値を下げて、Ｒ３、Ｒ２の効率感度ｋ３、ｋ２がＫ１になるまでＲ３とＲ２の発光量を減少させる（図７（ｂ）のｂ−ｃ、ｄ−ｅ）。なおこの制御を一般化して４つ以上のＬＥＤを有するＲ−ＬＥＤ光源に適用する場合、Ｒ−ＬＥＤ光源のＬＥＤの中で効率感度が他のＬＥＤ（ここではＲ１）よりも低く且つ効率感度が等しいもの（ここではＲ３とＲ２）が複数あるときは、それらのＬＥＤに供給される電流の電流値をそれらの効率感度が等しい状態を保ちながら減少させるということになる。
【００４９】
それからＲ３、Ｒ２、Ｒ１の効率感度ｋ３、ｋ２、ｋ１がＫ１で等しくなったら、図７（ｃ）の丸、三角、四角で示すように、Ｒ３、Ｒ２、Ｒ１の効率感度ｋ３、ｋ２、ｋ１が等しい状態を保ちながらＲ３、Ｒ２、Ｒ１の電流値を０になるまで下げて、Ｒ３、Ｒ２、Ｒ１の発光量を減少させる（図７（ｃ）のｆ−ｇ−ｈ）。ここでＲ３の電流値が０となったら、Ｒ２、Ｒ１の効率感度ｋ２、ｋ１が等しい状態を保ちながらＲ２の電流値が０となるまでＲ２とＲ１の電流値を下げ（図７（ｃ）のｉ−ｊ）、Ｒ２の電流値が０となったら、Ｒ１の電流値が０となるまでＲ１の電流値を下げる（図７（ｃ）のｎ）。
【００５０】
次に、本実施形態においてＲ−ＬＥＤ光源から出射される光量を増加させる場合の制御シーケンスを図７（ｄ）から図７（ｆ）を用いて説明する。Ｒ−ＬＥＤ光源から出射される光量を増加させる場合には、効率感度の高いＬＥＤから順番に供給される電流の電流値を増加させるため、基本的には光量を減少させる場合と逆の順序となる。なお、図７（ｄ）には初期状態を示しており、この初期状態ではＲ−ＬＥＤ光源の光量が０％（Ｒ１、Ｒ２、Ｒ３の電流値がすべて０の状態）であるものとする。
【００５１】
まず図７（ｄ）の四角で示すように、Ｒ１、Ｒ２、Ｒ３の電流値が０の状態から、この時点で最も効率感度の高いＲ１の電流値を上げて、Ｒ１の効率感度ｋ１がＫ２´になるまでＲ１の発光量を増加させる（図７（ｄ）のａ）。
【００５２】
そしてＲ１、Ｒ２の効率感度ｋ１、ｋ２がＫ２´で等しくなったら、図７（ｄ）の四角および三角で示すように、Ｒ１、Ｒ２の効率感度ｋ１、ｋ２が等しい状態を保ちながらＲ１とＲ２の電流値を上げて、Ｒ１、Ｒ２の効率感度ｋ１、ｋ２がＫ３´になるまでＲ１とＲ２の発光量を増加させる（図７（ｄ）のｂ−ｃ、ｄ−ｅ）。なおこの制御を一般化して４つ以上のＬＥＤを有するＲ−ＬＥＤ光源に適用する場合、Ｒ−ＬＥＤ光源のＬＥＤの中で効率感度が他のＬＥＤ（ここではＲ３）よりも高く且つ効率感度が等しいもの（ここではＲ１とＲ２）が複数あるときは、それらのＬＥＤに供給される電流の電流値をそれらの効率感度が等しい状態を保ちながら増加させるということになる。
【００５３】
それからＲ１、Ｒ２、Ｒ３の効率感度ｋ１、ｋ２、ｋ３がＫ３´で等しくなったら、図７（ｄ）の四角、三角、丸で示すように、Ｒ１、Ｒ２、Ｒ３の効率感度ｋ１、ｋ２、ｋ３が等しい状態を保ちながらＲ１、Ｒ２、Ｒ３の最大電流値をＩｍになるまで上げて、Ｒ１、Ｒ２、Ｒ３の発光量を増加させる（図７（ｄ）のｆ−ｇ−ｈ）。ここでＲ１の電流値がＩｍとなったら、Ｒ２、Ｒ３の効率感度ｋ２、ｋ３が等しい状態を保ちながらＲ２の電流値がＩｍとなるまでＲ２とＲ３の電流値を上げ（図７（ｅ）のｈ−ｉ、ｊ−ｎ）、Ｒ２の電流値がＩｍとなったら、Ｒ３の電流値がＩｍとなるまでＲ３の電流値を上げる（図７（ｆ）のｐ）。
【００５４】
図８は、電流値−発光量テーブルとそれに対応する効率感度の他の例を示したグラフである。なお図８の例でも、図６の例と同様に光源１６のＲ−ＬＥＤ光源がＲ１、Ｒ２、Ｒ３の３つのＬＥＤを備えているものとする。また、Ｒ１についての電流値−発光量テーブルをＬｒ１、Ｒ２についての電流値−発光量テーブルをＬｒ２、Ｒ３についての電流値−発光量テーブルをＬｒ３で示し、Ｒ−ＬＥＤ光源から出射される光量をＬｒ（＝Ｌｒ１＋Ｌｒ２＋Ｌｒ３）で示している。但し光量Ｌｒについては、Ｒ１、Ｒ２、Ｒ３に供給される電流値が同じであるとする。さらに図８（ｂ）は、図８（ａ）の電流値−発光量テーブルから算出された効率感度を示すグラフであり、Ｒ１、Ｒ２、Ｒ３の効率感度をそれぞれｋ１、ｋ２、ｋ３で示している。なお図８の例においても、Ｒ１、Ｒ２、Ｒ３に供給できる電流の最大電流値をＩｍとする。
【００５５】
図８の例では、図８（ａ）に示すようにＬｒ１、Ｌｒ２、Ｌｒ３の電流値０から点Ａまでの傾き（効率感度）が同一かつ一定となっており、この傾きを図８（ｂ）において効率感度Ｋ４として示している。またＬｒ１の点Ｂよりも電流値の大きい領域、Ｌｒ２の点Ｃよりも電流値の大きい領域、およびＬｒ３の点Ｄよりも電流値の大きい領域の傾きも同一かつ一定となっており、この傾きを図８（ｂ）において効率感度Ｋ５として示している。なお図８（ａ）の点Ａ、点Ｂ、点Ｃ、点Ｄに対応する点を、図８（ｂ）においてそれぞれ点Ａ´、点Ｂ´、点Ｃ´、点Ｄ´として示している。
【００５６】
図９は、本実施形態に係る照明装置の光量制御方法の他の例を説明するためのグラフである。なお図９（ａ）から図９（ｆ）は、図８（ｂ）と同じ効率感度のグラフであり、図８のときと同一のＲ−ＬＥＤ光源について示しているものとする。
【００５７】
以下、図８（ｂ）の例においてＲ−ＬＥＤ光源から出射される光量を減少させる場合の制御シーケンスを図９（ａ）から図９（ｃ）を用いて説明する。なお、図９（ａ）には初期状態を示しており、この初期状態ではＲ−ＬＥＤ光源の光量が１００％（Ｒ１、Ｒ２、Ｒ３がすべて最大電流値Ｉｍで発光している状態）であるものとする。また光量制御の基本的な考え方は図７の場合と同様であり、効率感度の低いＬＥＤから順番に供給される電流の電流値を減少させていく。
【００５８】
まず図９（ａ）の四角、三角、丸で示すように、Ｒ３、Ｒ２、Ｒ１が最大電流値Ｉｍで発光している状態からＲ３、Ｒ２、Ｒ１の電流値を一律に点Ｂ´まで下げて、Ｒ３、Ｒ２、Ｒ１の発光量を減少させる（図９（ａ）のａ―ｂ−ｃ）。このとき、Ｒ３、Ｒ２、Ｒ１の効率感度ｋ３、ｋ２、ｋ１はＫ５の状態を保っている。
【００５９】
そして図９（ａ）の四角および三角で示すように、Ｒ３とＲ２の電流値を一律に点Ｂ´から点Ｃ´まで下げて、Ｒ３とＲ２の発光量を減少させる（図９（ａ）のｄ−ｅ）。このとき、Ｒ３、Ｒ２の効率感度ｋ３、ｋ２はまだＫ５の状態を保っている。
【００６０】
それから図９（ａ）の四角で示すように、Ｒ３の電流値を点Ｃ´から点Ｄ´まで下げる（図９（ａ）のｆ）。このとき、Ｒ３の効率感度ｋ３はまだＫ５の状態を保っている。
【００６１】
ここでＲ３の電流値が点Ｄ´になったら、図９（ｂ）の四角、三角、丸で示すように、Ｒ３、Ｒ２、Ｒ１の効率感度ｋ３、ｋ２、ｋ１が等しい状態を保ちながらＲ３、Ｒ２、Ｒ１の電流値を点Ａ´まで下げて、Ｒ３、Ｒ２、Ｒ１の発光量を減少させる（図９（ｂ）のｇ−ｈ−ｉ、ｊ−ｎ−ｐ）。これにより、Ｒ３、Ｒ２、Ｒ１の効率感度ｋ３、ｋ２、ｋ１はＫ４となる。
【００６２】
最後に図９（ｃ）の四角、三角、丸で示すように、Ｒ３、Ｒ２、Ｒ１の電流値を一律に点Ａ´から０になるまで下げて、Ｒ３、Ｒ２、Ｒ１の発光量を減少させる（図９（ｃ）のｑ、ｓ、ｔ）。このとき、Ｒ３、Ｒ２、Ｒ１の効率感度ｋ３、ｋ２、ｋ１はＫ４である。
【００６３】
次に、図８（ｂ）の例においてＲ−ＬＥＤ光源から出射される光量を増加させる場合の制御シーケンスを図９（ｄ）から図９（ｆ）を用いて説明する。この場合も基本的な考え方は図７の場合と同様であり、効率感度の高いＬＥＤから順番に供給される電流の電流値を増加させる。なお、図９（ｄ）には初期状態を示しており、この初期状態ではＲ−ＬＥＤ光源の光量が０％（Ｒ１、Ｒ２、Ｒ３の電流値がすべて０の状態）であるものとする。
【００６４】
まず図９（ｄ）の丸、三角、四角で示すように、Ｒ１、Ｒ２、Ｒ３の電流値を一律に０から点Ａ´になるまで上げて、Ｒ１、Ｒ２、Ｒ３の発光量を増加させる（図９（ｄ）のａ、ｂ、ｃ）。このとき、Ｒ１、Ｒ２、Ｒ３の効率感度ｋ１、ｋ２、ｋ３はＫ４である。
【００６５】
そして図９（ｅ）の丸、三角、四角で示すように、Ｒ１、Ｒ２、Ｒ３の効率感度ｋ１、ｋ２、ｋ３が等しい状態を保ちながらＲ１、Ｒ２、Ｒ３の電流値をそれぞれ点Ｂ´、点Ｃ´、点Ｄ´まで上げて、Ｒ１、Ｒ２、Ｒ３の発光量を増加させる（図９（ｂ）のｄ−ｅ−ｆ、ｇ−ｈ−ｉ）。これにより、Ｒ１、Ｒ２、Ｒ３の効率感度ｋ１、ｋ２、ｋ３はＫ５となる。
【００６６】
それから図９（ｆ）の四角で示すように、Ｒ３の電流値を点Ｄ´から点Ｃ´まで上げる（図９（ｆ）のｊ）。
【００６７】
そして図９（ｆ）の三角および四角で示すように、Ｒ２とＲ３の電流値を一律に点Ｃ´から点Ｂ´まで上げて、Ｒ２とＲ３の発光量を増加させる（図９（ａ）のｎ−ｐ）。
【００６８】
最後に図９（ｆ）の丸、三角、四角で示すように、点Ｂ´からＲ１、Ｒ２、Ｒ３の電流値を一律に最大電流値Ｉｍまで上げて、Ｒ１、Ｒ２、Ｒ３の発光量を増加させる（図９（ｆ）のｑ―ｓ−ｔ）。
【００６９】
なお図７および図９では、一つの温度状態における効率感度を用いて光量制御を行っているが、例えば図２に示したキャリブレーションで複数の温度における電流値−発光量テーブルを作成し、最も近い温度についての電流値−発光量テーブルから算出した効率感度を用いて光量制御を行ってもよい。光量制御を行うときのＲ−ＬＥＤ光源の温度は、温度センサ３８ｒで検出することができる。
【００７０】
図１０は、あるＲ−ＬＥＤ光源についての電流値−発光量テーブルとそれに対応する効率感度を示したグラフである。なお図１０では、Ｒ−ＬＥＤ光源がＲ１、Ｒ２、Ｒ３の３つのＬＥＤを備えているものとする。また図１０（ａ）には、Ｒ１についての電流値−発光量テーブルをＬｒ１、Ｒ２についての電流値−発光量テーブルをＬｒ２、Ｒ３についての電流値−発光量テーブルをＬｒ３で示し、図１０（ｂ）には、図１０（ａ）の電流値−発光量テーブルから算出されたＲ１、Ｒ２、Ｒ３の効率感度をそれぞれｋ１、ｋ２、ｋ３で示している。
【００７１】
図１０（ａ）に示す電流値−発光量テーブルＬｒ１、Ｌｒ２、Ｌｒ３は、供給される電流値をＩとして以下の式で表される（発光量は任意単位）。
Ｌｒ１＝−０．０００００９９Ｉ2＋０．０４８５Ｉ−１．０８８５５
Ｌｒ２＝−０．０００００８２４Ｉ2＋０．０３９５７Ｉ−０．６９４７
Ｌｒ３＝−０．０００００５９６６Ｉ2＋０．０３２０３６Ｉ−０．６２２２
Ｒ１、Ｒ２、Ｒ３の最大電流値はすべて２０００ｍＡであり、Ｒ１、Ｒ２、Ｒ３のすべてに最大電流値２０００ｍＡの電流が供給されたとするとＲ−ＬＥＤ光源から出射される光量は１４１．３８となり、このときのＲ−ＬＥＤ光源の光量を１００％とする。ここでは、Ｒ−ＬＥＤ光源の光量を７５％である１０６．０３（＝１４１．３８×０．７５）まで減少させる場合を考える。
【００７２】
従来のように各ＬＥＤの電流値が等しい状態で一律にその電流値を下げ、Ｒ−ＬＥＤ光源の光量を７５％まで減少させると、Ｒ１、Ｒ２、Ｒ３の電流値は１１８５ｍＡとなり、総電流は３５５５ｍＡとなる。
【００７３】
一方、図７および図９に示した効率感度に基づく光量制御を行ってＲ−ＬＥＤ光源の光量を７５％まで減少させると、Ｒ１、Ｒ２、Ｒ３の電流値はそれぞれ１４１０ｍＡ、１１５０ｍＡ、９６０ｍＡとなり、総電流は３５２０ｍＡとなる。
【００７４】
またＲ−ＬＥＤ光源の光量を５０％である７０．６９まで減少させる場合、従来のように各ＬＥＤの電流値が等しい状態で一律にその電流値を下げると、Ｒ１、Ｒ２、Ｒ３の電流値は７０５ｍＡとなり、総電流は２１１５ｍＡとなる。一方、本実施形態に係る効率感度に基づく光量制御を行うと、Ｒ１、Ｒ２、Ｒ３の電流値はそれぞれ１０３０ｍＡ、６９５ｍＡ、３３５ｍＡとなり、総電流は２０６０ｍＡとなる。
【００７５】
さらにＲ−ＬＥＤ光源の光量を２５％である３５．３４６まで減少させる場合、従来のように各ＬＥＤの電流値が等しい状態で一律にその電流値を下げると、Ｒ１、Ｒ２、Ｒ３の電流値は３４０ｍＡとなり、総電流は１０２０ｍＡとなる。一方、本実施形態に係る効率感度に基づく光量制御を行うと、Ｒ１、Ｒ２、Ｒ３の電流値はそれぞれ６６５ｍＡ、２６０ｍＡ、０ｍＡとなり、総電流は９２５ｍＡとなる。
【００７６】
このように本実施形態に係る効率感度に基づく光量制御を行うことで、光源の消費電力（総電流）を低減することが可能となる。
【００７７】
本実施形態では、メモリ３２に記憶された電流値−発光量テーブルをＣＰＵ２０が読み出して各ＬＥＤの効率感度を算出し、この効率感度に基づいて各ＬＥＤに供給される電流値を制御するため、各ＬＥＤの発光効率を考慮した低消費電力の照明装置および画像投影装置を得ることが可能となる。
【００７８】
なお、本発明は上記した実施形態に限定されるものではなく、その技術的思想の範囲内でなしうるさまざまな変更、改良が含まれることは言うまでもない。例えば、上記の実施形態では主にＬＥＤを直流駆動する照明装置について説明したが、ＬＥＤをパルス駆動する照明装置にも本発明を適用することができる。また、上記の実施形態では例としてＲ−ＬＥＤ光源の光量制御を説明したが、Ｇ−ＬＥＤ光源、Ｂ−ＬＥＤ光源でも同様の光量制御を行うことが可能である。また上記の実施形態で説明した照明装置は、液晶プロジェクタ等の画像投影装置だけでなく、例えば液晶ディスプレイ等の表示装置にも適用することができる。
【図面の簡単な説明】
【００７９】
【図１】本発明の実施形態に係る照明装置を備えた画像投影装置の全体構成を示すブロック図である。
【図２】電流値−発光量テーブルを取得するためのキャリブレーションの手順を示したフローチャートである。
【図３】キャリブレーションのときにＬＥＤ発光タイミング制御部が生成するタイミング信号の例を示した図である。
【図４】キャリブレーションで得られた電流値−発光量テーブルをグラフ化した例を示す図である。
【図５】各ＬＥＤの効率感度を求める他の方法を示したグラフである。
【図６】電流値−発光量テーブルとそれに対応する効率感度の例を示したグラフである。
【図７】本実施形態に係る照明装置の光量制御方法を説明するためのグラフである。
【図８】電流値−発光量テーブルとそれに対応する効率感度の他の例を示したグラフである。
【図９】本実施形態に係る照明装置の光量制御方法の他の例を説明するためのグラフである。
【図１０】あるＲ−ＬＥＤ光源についての電流値−発光量テーブルとそれに対応する効率感度を示したグラフである。
【符号の説明】
【００８０】
１０    画像信号処理部
１２ｒ、１２ｇ、１２ｂ    表示パネル
１４ｒ、１４ｇ、１４ｂ    パネルドライバ
１６    光源
１８    ＬＥＤ発光タイミング制御部
２０    ＣＰＵ
２２    電流制御回路部
２４    ＤＡコンバータ
２６    ＬＥＤ発光電流制御部
２８ｒ、２８ｇ、２８ｂ    照明光学系
３０    投影光学系
３２    メモリ
３４    ユーザインターフェース
３６    特徴量抽出部
３８ｒ、３８ｇ、３８ｂ    温度センサ
４０ｒ、４０ｇ、４０ｂ    光量センサ
１０１、１０２、１０３    Ｒ−ＬＥＤ
２０１、２０２、２０３    Ｇ−ＬＥＤ
３０１、３０２、３０３    Ｂ−ＬＥＤ
１１１、１１２、１１３    ＦＥＴ
【図３】
2008185924.tif 000003
【図４】
2008185924.tif 000004
【図６】
2008185924.tif 000005
【図８】
2008185924.tif 000006
【図１０】
2008185924.tif 000007
【図１】
2008185924.tif 000008
【図２】
2008185924.tif 000009
【図５】
2008185924.tif 000010
【図７】
2008185924.tif 000011
【図９】
2008185924.tif 000012